(57)【要約】【課題】１枚の写真を動画として映し出し、ページにも余裕ができる。【解決手段】この画像表示システム１は、印刷物２の写真２ｂの部分に写真２ｂの内容と関連させた動画４を作動させるための読み込みマーク３を組み込み、この読み込みマーク３により関連付けて前記動画４を保存する管理サーバ１０１と、管理サーバ１０１から送られる情報を映し出す画像表示装置１０３と、画像表示装置１０３に情報の映し出しの操作を行うユーザ端末１０４と、を有し、ユーザ端末１０４により読み込みマーク３を読み取ることで、読み込みマーク３により関連付けてある写真２ｂの内容と関連させた動画４を表示する。【選択図】図１
2009064370.tif 000002
【特許請求の範囲】
【請求項１】
印刷物の写真の部分に写真の内容と関連させた動画を作動させるための読み込みマークを組み込み、この読み込みマークにより関連付けて前記動画を保存する管理サーバと、
前記管理サーバから送られる情報を映し出す画像表示装置と、
前記画像表示装置に情報の映し出しの操作を行うユーザ端末と、
を有し、
前記ユーザ端末により前記読み込みマークを読み取ることで、前記読み込みマークにより関連付けてある前記写真の内容と関連させた動画を表示することを特徴とする画像表示システム。
【請求項２】
前記管理サーバは、前記印刷物に記載されている写真と関連した動画を編集し、前記写真の部分に読み込みマークを組み込むことを特徴とする請求項１に記載の画像表示システム。    
【請求項３】
前記管理サーバは、特定の前記印刷物を検索し、この検索した印刷物の中の一つ一つの写真に連動した動画を関連付ける読み込みマークを暗号マークとして作成し、
前記暗号マークにより関連付けて前記動画を保存することを特徴とする請求項１に記載の画像表示システム。    
【発明の詳細な説明】
【技術分野】
【０００１】
この発明は、印刷物の中の写真と同じ内容をテレビやパソコンの画面で動画として認識でき、学習参考書、教科書、テキストなどとして活用することが可能な画像表示システムに関するものである。
【背景技術】
【０００２】
一昔前までは、例えば学習参考書、教科書、テキストなどの印刷物の中に印刷された写真はほとんど白黒写真の時代であった。また、カラー写真の入った印刷物はこの３０年ほどで急速に増えてきた。そして、白黒の写真よりもカラー写真は多くの情報を伝えることができるようになった。また、現在、ＣＤやビデオによる画像も氾濫している。しかし、一冊の印刷物の中で写真とビデオのような画像を同時に活用できているものはなかった。
【０００３】
また、インターネットを用いたものとして、新たなタグを設定して記事ごとにデータベースに保存することにより、電子スクラップが可能になり、また過去に受信、購入、作成などで保存している電子新聞、電子書籍、電子スクラップなどの記事データおよびデータベースをもとに、新規作成する電子書籍のタイトルを指定し、条件に合致する記事を抽出し、目次や索引をつけ保存することにより、新たな電子書籍を作成するものがある（特許文献１）。
【特許文献１】特開２０００−１１２９６２
【発明の開示】
【発明が解決しようとする課題】
【０００４】
ところで、従来の書籍や新聞などでは変化の過程を複数の写真で示すことが多く、写真によるスペースを大きく取る必要性があったため本文やページ数に制約ができていた。
また、学校などで使用しているビデオ画像などは、例えば２０分程度に編集されていて、例えば学習参考書、教科書、テキストなどの印刷物としての活用とは連動していないので担当者が自分で検討し選択したものを見るという手間があり、一部の先生が授業などで使っているにすぎない。
【０００５】
書籍などの印刷物の中の写真の目的は、本来その文章に関連した事項などをわかりやすくイメージさせるための挿し絵的な表現として記載されている。記載事項をよりわかりやすくするには実物や動きのある映像などが効果的であることは必然である。
【０００６】
印刷物の中にある写真からイメージを広げさせるという目的をさらにすすめて、例えばイメージかを深める一助となるように無理に長くない程度の時間に編集した状態の動画を必要なときに、瞬時に、いつでも、書籍を読む感覚で繰り返して動画を取り出し視聴することができるシステムが望まれていた。
【０００７】
この発明は、これらの問題点を解決し、１枚の写真を動画として映し出し、ページにも余裕ができる画像表示システムを提供することを目的とする。
【課題を解決するための手段】
【０００８】
前記課題を解決し、かつ目的を達成するために、この発明は、以下のように構成した。
【０００９】
請求項１に記載の発明は、印刷物の写真の部分に写真の内容と関連させた動画を作動させるための読み込みマークを組み込み、この読み込みマークにより関連付けて前記動画を保存する管理サーバと、
前記管理サーバから送られる情報を映し出す画像表示装置と、
前記画像表示装置に情報の映し出しの操作を行うユーザ端末と、
を有し、
前記ユーザ端末により前記読み込みマークを読み取ることで、前記読み込みマークにより関連付けてある前記写真の内容と関連させた動画を表示することを特徴とする画像表示システムである。
【００１０】
請求項２に記載の発明は、前記管理サーバは、前記印刷物に記載されている写真と関連した動画を編集し、前記写真の部分に読み込みマークを組み込むことを特徴とする請求項１に記載の画像表示システムである。  
【００１１】
請求項３に記載の発明は、前記管理サーバは、特定の前記印刷物を検索し、この検索した印刷物の中の一つ一つの写真に連動した動画を関連付ける読み込みマークを暗号マークとして作成し、
前記暗号マークにより関連付けて前記動画を保存することを特徴とする請求項１に記載の画像表示システムである。    
【発明の効果】
【００１２】
前記構成により、この発明は、以下のような効果を有する。
【００１３】
請求項１に記載の発明では、情報端末により画像表示装置に表示される写真の部分の読み込みマークを読み取ることで写真の内容と関連させた動画を表示し、１枚の写真を動画として映し出し、必要な写真をビデオとおなじ感覚で大きな画面で画像を閲覧でき書籍などの印刷物への関心を更に高めることになり、しかもページにも余裕ができる。
【００１４】
請求項２に記載の発明では、印刷物にある写真と関連した動画を編集し、写真の部分に読み込みマークを組み込むことで、簡単な操作で、確実に見たい写真に連動した動画を表示することができる。
【００１５】
請求項３に記載の発明では、特定の印刷物を検索し、その印刷物の中の一つ一つの写真に連動した動画を検索できるような読み込みマークを暗号マークとして作成し、暗号マークを読み込み、読み取った暗号マークから画像表示装置に写真に連動した動画を表示することで、種々の印刷物の写真から簡単な操作で、確実に見たい写真に連動した動画を表示することができる。
【発明を実施するための最良の形態】
【００１６】
以下、この発明の画像表示システムの実施の形態について説明する。この発明の実施の形態は、発明の最も好ましい形態を示すものであり、この発明はこれに限定されない。
【００１７】
図１は画像表示システム１の概略構成図である。
この実施の形態の画像表示システム１は、インターネットなどのネットワーク１００、学習参考書、教科書、テキストなどの印刷物の写真の部分に写真の内容と関連させた動画を作動させるための読み込みマークを組み込み、この読み込みマークにより関連付けて動画を保存する管理サーバ１０１、管理サーバ１０１から提供された情報をユーザに配信するコンピュータ１０２、コンピュータ１０２に接続され管理サーバ１０１から送られる情報を映し出す画像表示装置１０３と、情報の映し出しの操作を行うユーザ端末１０４とを備える。この実施の形態では、コンピュータ１０２に接続した画像表示装置１０３に管理サーバ１０１から送られる情報を映し出すようにしているが、画像表示装置１０３をテレビジョンとし、このテレビジョンに映し出すようにしても良い。
【００１８】
図２は画像表示装置１０３に写真の内容と関連させた動画を表示する状態を示す図である。画像表示装置１０３の表示部１０３ａには、図２（ａ）に示すように、印刷物２の文字２ａと写真２ｂと、写真２ｂの部分に読み込みマーク３が表示される。
ユーザ端末１０４により画像表示装置１０３に表示される写真２ｂの部分の読み込みマーク３をクリックして読み取ることで、図２（ｂ）に示すように、画像表示装置１０３に写真２の内容と関連させた動画４を表示する。
【００１９】
従来の印刷物２では変化の過程を説明するために複数の写真で示すので広いスペースが必要になり、一つ一つの写真も大きさに制限ができるが、図２（ａ）に示すように、写真２ｂの部分の読み込みマーク３を付けておき、写真２ｂから動画として取り出すようにしてあるので写真２ｂを１枚にでき、大きさも拡大できページに余裕ができる。
【００２０】
図３は管理サーバ１０１の内部の構成を簡単に表したものである。２００は内部バス、２０１は管理サーバ１０１の制御処理を行うＣＰＵ、２０２は起動プログラム等を記憶しているＲＯＭ部、２０３はＣＰＵが制御処理を行うときに利用するＲＡＭ部、２０４はインターネット等を利用して外部のホストコンピュータ等と通信を行うための通信部、２０５はキーボード、マウス、リモコン等の機器を使ってデータを入力するための入力部、２０６はハードディスクやＤＶＤ−ＲＡＭなど大量のデータを保存しておくための記憶部、２０７は液晶やＣＲＴなどデータを表示するための表示部である。２０４の通信部は屋内ＬＡＮや赤外線等を用いたほかの機器との通信にも利用可能であるし、２０６の記憶装置は外部により大容量のものを用意しても良い。また２０７の表示部は外部ＣＲＴやＴＶモニタなどを利用しても良い。また管理サーバ１０１を屋内ネットワーク等で接続した端末等から操作することも可能である。
【００２１】
この管理サーバ１０１では、印刷物に記載されている写真２ｂと関連した動画４を編集し、写真２ｂの部分に読み込みマーク３を組み込む。
【００２２】
次に、管理サーバ１０１において写真と動画を編集する手順を、図４に基づいて説明する。
【００２３】
まず、学習参考書、教科書、テキストなど印刷物２の編集の際には、印刷物２に使用する写真２ｂの内容や枚数、大きさを検討するが、それと併行して印刷物２の内容として写真２ｂを動画にすることで印刷物２の内容がさらに効果的に向上するものを選択する（ステップＳ１）。
【００２４】
そして、選択をした写真２ｂと連動させるための関連する音声付きの動画を用意し、必要な時間分に編集する（ステップＳ２）。動画は、音声付きでなくてもよい。
選択した写真２ｂの部分に、写真２ｂの内容と関連させた動画を作動させるための読み込みマーク３を記載していく（ステップＳ３）。読み込みマーク３を記載した写真と連動するように読み込みマーク３が一致した画像をＤＶＤなどの記憶装置、またはサーバの中の記憶装置に記憶していく（ステップＳ４）。
写真２ｂの読み込みマーク３と関連付けて瞬時に画像を取り出しができるように動作確認を行う（ステップＳ５）。
【００２５】
また、自動的に印刷物２のページ順に配置選択された写真２ｂに合わせた動画４の読み出しもできるような機能も取り入れていく。
【００２６】
また、管理サーバ１０１では、インターネット等から特定の印刷物２を検索し、この検索した印刷物２の中の一つ一つの写真に連動した動画を関連付ける読み込みマーク３を暗号マークとして作成し、この暗号マークにより関連付けて動画４を保存する。
【００２７】
例えば、印刷物２として、図書分類、著作者名を検索して認識し書籍名を識別でき、印刷物２に記載された写真を一枚一枚確実に識別できるような暗号化した暗号マークを用意する。
【００２８】
図５はリモコン１０によって読み込みマーク３の組み込みを示し、リモコン１０によって写真２ｂから容易に読み取りができ、読み込みマーク３を図案化したものは国際的なスタンダードなものにしていくことができる。
【００２９】
図６は画像の読み出しを示す。すなわち、図５によって読み込みマーク３を暗号化し、この暗号マークにより関連付けた動画４を読み出して表示する。
ＤＶＤなど記録媒体から読み出す小規模版では、印刷物２の写真２ｂに記載した読み込みマーク３と、１対１に対応させた暗号マークをＤＶＤ内のチャプターと同調させて画像を記録保存する。印刷物２にある写真２ｂと関連した動画４を編集し、写真２ｂの部分に読み込みマーク３を組み込むことで、簡単な操作で、確実に見たい写真２ｂに連動した動画４を表示することができる。
【００３０】
この実施の形態では、リモコン１０によって読み込みマーク３を読み込むことで、ＤＶＤ  内のチャプターと同調した暗号マークによって関連付けて保存された動画がテレビ画面やパソコンの画面上に読み出されて動画を視聴できる。
【００３１】
また、情報メディアなどを活用する大規模版では、インターネット上のプロバイダを活用し、世界中の出版社と連携して、印刷物２の写真を動画で視聴できるシステムを運用する。そのためには、世界標準の特定の印刷物２を検索し、この検索した印刷物２の中の一つ一つの写真に連動した動画を関連付ける暗号マークを作成し、暗号マークにより関連付けて動画を保存し、この読み込み動画を読み出す共通的で大規模なシステムとなる。
【００３２】
暗号マークにより関連付けて動画を保存し、保管運営するプロバイダの管理サーバ１０１も相当大規模なものになる。このように、特定の印刷物２を検索し、その印刷物２の中の一つ一つの写真２ｂに連動した動画を検索できるような暗号マークを作成し、暗号マークを読み込むことができ、読み取った暗号マークから画像表示装置に写真に連動した動画を表示することで、種々の印刷物２の写真２ｂから簡単な操作で、確実に見たい写真２ｂに連動した動画４を表示することができる。
【００３３】
この発明は印刷物２の内容にあった動画を音声付きの動画像として必要なときに、瞬時に、いつでも、印刷物２を読む感覚で繰り返して取り出し視聴することができる。また、適度に編集されてわかりやすい動画により、印刷物２の中にある写真２ｂからイメージを広げるということが写真２ｂ以上に深められ、読者の理解力を高め、興味をさらに深めることができる。従来の本などの印刷物２として読む楽しさに以上に、印刷物２の中の写真２ｂから動きのある映像を視聴できるという知的・文化的な楽しみ方ができるようになる。
【００３４】
従来の本などの印刷物２では変化の過程を複数の写真で示すのでスペースをとる。写真２ｂを動画として取り出すこの発明は印刷物２のページにも余裕ができ内容を高めやすくなる。さらに、写真２ｂとしてだけではなく、テレビなどの大きな画面で動画を見ることができるので見やすく、わかりやすくなって感動の大きくなる。
【００３５】
また、学習書、各種のテキスト、図鑑、研究記録、各種雑誌や研修などのダイジェスト版として活用に多くの使用を見込むことができる。日常生活の便利な本、趣味などのテキストがより身近なものになっていき、文字と写真以外の映像から分かり合えるという面で文化レベルを向上させることができる。
【００３６】
また、この発明によって、写真やアニメ、ＣＧの活用がさらに広まっていくので出版界や関連する各種の業務がインターネット上の産業などにも出版界などの経済効果、文化的な効果が増幅されて行くことが期待できる。
【００３７】
最近ではテレビ受像器にＤＶＤの録画用ハードが搭載されたものもできているが、この発明による「本の写真から読み込んだ動画を配信する」ということを行うパソコンと同様な双方向性通信機能を持つインターネットシステムがテレビ受像器にも搭載されていくことも予期される。テレビなどの情報産業にも新たな業務が発生し色々な面での経済的な効果が期待できる。
【００３８】
以下、この発明の利用について詳細に説明する。
［学習参考書、教科書、テキストとしての活用］
この発明は本の中の写真とおなじ内容をテレビやパソコンの画面で音声付きの動画として認識できる。従来の理科の実験書などでは、実験した内容についての結果を変化の前後としてわかるように複数枚の写真で説明していた。この発明による本では、１枚の写真を使いページに余裕ができる。さらに、写真としてではなく、変化の過程をテレビなどの大きな画面で動画を見ることができるので見やすく、わかりやすいものになる。
【００３９】
ちいさな子供などに物事を説明するときに一番わかりやすいのは実物を見せて説明することである。本はいろいろな想像力を生み出すが、写真だけでは細部が理解しにくい場合もある。この発明のような動く画像による説明は大変に有効となる。学習参考書、教科書、各種のテキストに多くの使用を見込むことができる。  
［図鑑、研究記録、各種雑誌や研修などのダイジェスト版として活用］
図鑑などはきれいな画像をみたいものであるが、最近のテレビは大画面でしかも画質もかなり向上してきているので、動物図鑑や魚類図鑑などで興味のある写真について、この発明を活用すると大きな画面で生き物の動作を動きのある画像して鑑賞できるようになり、本としての機能も高められる。
【００４０】
テレビで料理や釣りなどの趣味の番組をテキストとした雑誌になっている。しかし、毎回ビデオを保管し、購入しても全部を視聴することは少ない。料理などの一部分を編集して必要な部分をダイジェスト版として画像に取り込むことができると趣味などのテキスト本としての使い勝手もより良くなっていく。  研究集録などの冊子類でも、写真を動きのある画像として編集をおこない取り入れていくことで、読み手にとって研究の内容をよりわかりやすく、理解し易くできる。
［文化的、経済的な効果］
この発明を教科書などに活用することは、従来の写真の説明状況よりも動きや変化の経過が見えることにより分かりやすくなる。また、複数の写真を必要としていたページを１枚の写真で置き換えられるので、ページに余裕ができ詳細な説明を増やすことも可能になり生徒にもわかりやすくなっていく。
【００４１】
また、理科の実験などでは大きな画面を見ることで、変化の様子や実験の結果を興味深く、確実に認識できるようになる。数学などにアニメーションとして画像を取り入れれば、図形概念などを理解しやすくなる。いろいろな教科で教科書と連動した動画像を大きな画面で見せることができるようになって生徒の興味や理解力が大きく向上することを期待できる。
【００４２】
この発明によって、出版界に新しい業務が創作されることになる。さらに関連する各種の業務がインターネット上の産業などにも補充されていくので、出版界などの経済効果、文化的な効果が増幅されて行くことが期待できる。
【００４３】
近年テレビ受像器にＤＶＤの録画用ハードが搭載されたものもできているが、この発明による「本の写真から読み込んだ動画を配信する」ということを行うパソコンと同様な双方向性通信機能を持つインターネットシステムがテレビ受像器にも搭載されていくことも予期される。テレビなどの情報産業にも新たな業務が発生し色々な面での経済的な効果が派生する。
【産業上の利用可能性】
【００４４】
この発明は、印刷物の中の写真と同じ内容をテレビやパソコンの画面で動画として認識でき、学習参考書、教科書、テキストなどとして活用する画像表示システムに適用可能であり、１枚の写真を動画として映し出し、ページにも余裕ができる。
【図面の簡単な説明】
【００４５】
【図１】画像表示システムの概略構成図である。
【図２】画像表示装置に写真の内容と関連させた動画を表示する状態を示す図である。
【図３】管理サーバの内部の構成を簡単に表した図である。
【図４】管理サーバにおいて写真と動画を編集する手順を説明する図である。
【図５】リモコンによって読み込みマークの組み込みを示す図である。
【図６】画像の読み出しを示す図である。
【符号の説明】
【００４６】
１  画像表示システム
２  印刷物
２ａ  文字
２ｂ  写真
３  読み込みマーク
４  動画
１００  ネットワーク
１０１  管理サーバ
１０２  コンピュータ
１０３  画像表示装置
１０４  ユーザ端末
【図１】
2009064370.tif 000003
【図２】
2009064370.tif 000004
【図３】
2009064370.tif 000005
【図４】
2009064370.tif 000006
【図５】
2009064370.tif 000007
【図６】
2009064370.tif 000008